(57)【要約】  【課題】パチンコ遊技機の可動役物装置において、可動役物を第１位置から上方の第２位置へ移動させる際のアシスト力を適正に変化させて、可動役物を第１位置から第２位置へ円滑に迅速に移動させること、第１位置に停止させた可動役物が跳上がる誤動作を防止すること、等である。  【解決手段】バネ部材５５を有する付勢手段５６は、従動ギヤ部材５２を回動付勢して、第１，第２可動役物４１，４２を第１，第２下方位置から第１，第２上方位置へ回動させる際のアシスト力を発生させるが、従動ギヤ部材に付加する回動付勢力を従動ギヤ部材の回動位置に応じて変化させて、第１，第２可動役物が第１，第２下方位置のときの回動付勢力を第１，第２可動役物が第１，第２下方位置以外の位置のときの最大の回動付勢力よりも小さくするように構成されている。【選択図】  図９
2011110322.tif 000002
【特許請求の範囲】
【請求項１】
可動役物と、この可動役物を第１位置と第１位置から上方へ移動させた第２位置とに亙って駆動する電動アクチュエータを有する役物駆動機構とを備えた可動役物装置を装備したパチンコ遊技機において、
前記役物駆動機構は、
前記電動アクチュエータにより回動駆動されて可動役物に駆動力を伝達する回動伝達部材と、
前記回動伝達部材を回動付勢して、可動役物を第１位置から第２位置へ移動させる際のアシスト力を発生させるバネ部材を有する付勢手段とを備え、
前記付勢手段は、回動伝達部材に付加する回動付勢力を回動伝達部材の回動位置に応じて変化させて、可動役物が第１位置のときの回動付勢力を可動役物が第１位置以外の位置のときの最大の回動付勢力よりも小さくするように構成されたことを特徴とするパチンコ遊技機。
【請求項２】
前記付勢手段は、可動役物が第１位置のときの回動付勢力を０にすることを特徴とする請求項１に記載のパチンコ遊技機。
【請求項３】
前記付勢手段は、可動役物が第２位置のときの回動付勢力を可動役物が第２位置以外の位置のときの最大の回動付勢力よりも小さくするように構成されたことを特徴とする請求項１又は２に記載のパチンコ遊技機。
【請求項４】
前記付勢手段は、可動役物が第２位置のときの回動付勢力を０にすることを特徴とする請求項３に記載のパチンコ遊技機。
【請求項５】
前記付勢手段は、その一端側部分が回動伝達部材に回動自在に連結されたバネ力伝達部材を有し、
前記バネ部材は、一端部がバネ力伝達部材に連結され他端部がベース部材に連結された引っ張りコイルバネからなることを特徴とする請求項１〜４の何れか１項に記載のパチンコ遊技機。
【請求項６】
前記ベース部材に可動役物が回動自在に支持され、
前記役物駆動機構は、その両端側部分が可動役物と回動伝達部材とに夫々回動自在に連結された連動連結部材を有することを特徴とする請求項５に記載のパチンコ遊技機。
【請求項７】
前記連動連結部材と前記バネ力伝達部材とが共通の部材からなることを特徴とする請求項６に記載のパチンコ遊技機。
【請求項８】
前記回動伝達部材の回動中心から、連動連結部材の可動役物との連結部と回動連結部材との連結部とを通る直線までの距離は、可動役物が第１，第２位置の中間近傍位置のときに最大になることを特徴とする請求項６又は７に記載のパチンコ遊技機。
【請求項９】
前記可動役物装置は、ベース部材に回動自在に支持された第２の可動役物を備え、
前記役物駆動機構は、その両端側部分が第２の可動役物と回動伝達部材とに夫々回動自在に連結された第２の連動連結部材を有し、前記可動役物の上下回動と同期させて第２の可動役物を第１位置と第１位置から上方へ移動させた第２位置とに亙って上下回動させるように駆動することを特徴とする請求項６に記載のパチンコ遊技機。
【請求項１０】
前記第２の連動連結部材と前記バネ力伝達部材とが共通の部材からなることを特徴とする請求項９に記載のパチンコ遊技機。
【請求項１１】
前記回動伝達部材の回動中心から、第２の連動連結部材の第２の可動役物との連結部と回動連結部材との連結部とを通る直線までの距離は、第２の可動役物が第１，第２位置の中間近傍位置のときに最大になることを特徴とする請求項９又は１０に記載のパチンコ遊技機。
【発明の詳細な説明】
【技術分野】
【０００１】
本発明はパチンコ遊技機に関し、特に、可動役物を第１位置から上方の第２位置へ移動させる際のアシスト力をバネ部材により発生させる可動役物装置に関するものである。
【背景技術】
【０００２】
従来、パチンコ遊技機において、その多くは遊技演出用に可動役物装置を装備しているが、電動モータを有する役物駆動機構により、可動役物を第１位置と第１位置から上方へ移動させた第２位置とに亙って駆動する可動役物装置が広く実用化されている（例えば、特許文献１〜３参照）。特許文献１，２の可動役物装置では、可動役物がベース部材に回動自在に支持され、役物駆動機構が可動役物に固定された従動ギヤを含むギヤ機構を有し、このギヤ機構により電動モータから可動役物に駆動力が伝達される。
【０００３】
特許文献３の可動役物装置では、４枚のシャタ片を夫々有する４組の可動体セットがリング部材に連動連結されている。リング部材が回動駆動されると、４組の可動体セットが連動して、夫々４枚のシャタ片が画面前側から退いた収納位置と画面前側に現れて広がった展開位置とに亙って動作して、画面に対するシャタ動作を実現している。
【０００４】
尚、第１可動体が電動モータにより一方向へ駆動されると、第２可動体がカム機構により第１可動体から駆動力を受けてバネ部材の付勢力に抗して第１の位置から第２の位置へ駆動され、また、第１可動体が電動モータにより他方向へ駆動されると、第２可動体がバネ部材の付勢力により第２の位置から第１の位置へ駆動され復帰する技術は広く採用されている。この技術は、特許文献１，２にも前記役物駆動機構とは別に開示されている。
【先行技術文献】
【特許文献】
【０００５】
【特許文献１】特開２００８−１８３０２８号公報
【特許文献２】特開２００９−１１５９８号公報
【特許文献３】特開２００９−１００９９４号公報
【発明の概要】
【発明が解決しようとする課題】
【０００６】
従来のパチンコ遊技機において、役物駆動機構により可動役物を第１位置と第１位置から上方へ移動させた第２位置とに亙って駆動する可動役物装置では、特に可動役物の大型化（大重量化）に伴って、役物駆動機構の負荷が大きくなり、可動役物を第１位置から第２位置へ円滑に迅速に移動させることができない虞がある。
【０００７】
そこで、可動役物を第２位置（上方）へ付勢する引っ張りコイルバネを、その両端部がベース部材と可動役物とに連結された状態で設け、このコイルバネにより可動役物を第１位置から第２位置へ移動させる際のアシスト力を発生させることが考えられる。
【０００８】
しかし、コイルバネにより可動役物に付加される付勢力（即ち、前記アシスト力）が大きくなると、その付勢力によって、第１位置に停止させた可動役物が跳上がる誤動作が起こる虞がある。しかも、可動役物を第２位置から下方へ移動開始させる役物駆動機構（電動モータ）の負荷が大きくなり、この可動役物の第２位置から下方への移動開始を円滑に行うことができない虞が高くなり、電動モータが故障する原因にもなる。
【０００９】
この課題は、可動役物に付加する付勢力を小さくすることで解消されるが、そうすると、可動役物の大型化に伴って、第２位置に停止させた可動役物が自重により下方へ移動する誤動作が起こる虞があり、また、コイルバネによるアシスト機能を適正に果たすことができず、つまりは、アシスト力を十分に大きくすることができず、可動役物を第１位置から第２位置へ円滑に迅速に移動させることが難しい。
【００１０】
本発明の目的は、パチンコ遊技機の可動役物装置において、可動役物を第１位置から上方の第２位置へ移動させる際のアシスト力を適正に変化させて、可動役物を第１位置から第２位置へ円滑に迅速に移動させること、第１位置に停止させた可動役物が跳上がる誤動作を防止すること、第２位置に停止させた可動役物が自重により下方へ移動する誤動作を防止すること、可動役物を第２位置から下方へ円滑に移動開始させること、等である。
【課題を解決するための手段】
【００１１】
請求項１の発明は、可動役物(41/61)と、この可動役物(41/61)を第１位置と第１位置から上方へ移動させた第２位置とに亙って駆動する電動アクチュエータ(50/70)を有する役物駆動機構(43/63)とを備えた可動役物装置(17)を装備したパチンコ遊技機(1)において、前記役物駆動機構(43/63)は、前記電動アクチュエータ(50/70)により回動駆動されて可動役物(41/61)に駆動力を伝達する回動伝達部材(52/72)と、前記回動伝達部材(52/72)を回動付勢して、可動役物(41/61)を第１位置から第２位置へ移動させる際のアシスト力を発生させるバネ部材(55/75)を有する付勢手段(56/76)とを備え、前記付勢手段(56/76)は、回動伝達部材(52/72)に付加する回動付勢力を回動伝達部材(52/72)の回動位置に応じて変化させて、可動役物(41/61)が第１位置のときの回動付勢力を可動役物(41/61)が第１位置以外の位置のときの最大の回動付勢力よりも小さくするように構成されたことを特徴とする。
【００１２】
請求項２の発明は、請求項１の発明において、前記付勢手段(56/76)は、可動役物(41/61)が第１位置のときの回動付勢力を０にすることを特徴とする。
【００１３】
請求項３の発明は、請求項１又は２の発明において、前記付勢手段(56/76)は、可動役物(41/61)が第２位置のときの回動付勢力を可動役物(41/61)が第２位置以外の位置のときの最大の回動付勢力よりも小さくするように構成されたことを特徴とする。
【００１４】
請求項４の発明は、請求項３の発明において、前記付勢手段(56/76)は、可動役物(41/61)が第２位置のときの回動付勢力を０にすることを特徴とする。
【００１５】
請求項５の発明は、請求項１〜４の何れか１項の発明において、前記付勢手段(56/76)は、その一端側部分が回動伝達部材(52/72)に回動自在に連結されたバネ力伝達部材(54/73)を有し、前記バネ部材(55/75)は、一端部がバネ力伝達部材(54/73)に連結され他端部がベース部材(40/60)に連結された引っ張りコイルバネ(55/75)からなることを特徴とする。
【００１６】
請求項６の発明は、請求項５の発明において、前記ベース部材(40/60)に可動役物(41/61)が回動自在に支持され、前記役物駆動機構(43/63)は、その両端側部分が可動役物(41/61)と回動伝達部材(52/72)とに夫々回動自在に連結された連動連結部材(53/73)を有することを特徴とする。
【００１７】
請求項７の発明は、請求項６の発明において、前記連動連結部材(73)と前記バネ力伝達部材(73)とが共通の部材からなることを特徴とする。
【００１８】
請求項８の発明は、請求項６又は７の発明において、前記回動伝達部材(52/72)の回動中心から、連動連結部材(53/73)の可動役物(41/61)との連結部と回動連結部材(52/72)との連結部とを通る直線(L1/L3)までの距離は、可動役物(41/61)が第１，第２位置の中間近傍位置のときに最大になることを特徴とする。
【００１９】
請求項９の発明は、請求項６の発明において、前記可動役物装置(17)は、ベース部材(40/60)に回動自在に支持された第２の可動役物(42/62)を備え、前記役物駆動機構(43/63)は、その両端側部分が第２の可動役物(42/62)と回動伝達部材(52/72)とに夫々回動自在に連結された第２の連動連結部材(54/74)を有し、前記可動役物(41/61)の上下回動と同期させて第２の可動役物(42/62)を第１位置と第１位置から上方へ移動させた第２位置とに亙って上下回動させるように駆動することを特徴とする。
【００２０】
請求項１０の発明は、請求項９の発明において、前記第２の連動連結部材(54)と前記バネ力伝達部材(54)とが共通の部材からなることを特徴とする。
【００２１】
請求項１１の発明は、請求項９又は１０の発明において、前記回動伝達部材(52/72)の回動中心から、第２の連動連結部材(54/74)の第２の可動役物(42/62)との連結部と回動連結部材(52/72)との連結部とを通る直線(L2/L4)までの距離は、第２の可動役物(42/62)が第１，第２位置の中間近傍位置のときに最大になることを特徴とする。
【発明の効果】
【００２２】
本発明のパチンコ遊技機によれば、可動役物を第１位置と第１位置から上方へ移動させた第２位置とに亙って駆動する電動アクチュエータを有する役物駆動機構が、電動アクチュエータにより回動駆動されて可動役物に駆動力を伝達する回動伝達部材と、回動伝達部材を回動付勢して、可動役物を第１位置から第２位置へ移動させる際のアシスト力を発生させるバネ部材を有する付勢手段とを備えている。
【００２３】
そして、付勢手段が、回動伝達部材に付加する回動付勢力を回動伝達部材の回動位置に応じて変化させて、可動役物が第１位置のときの回動付勢力を可動役物が第１位置以外の位置のときの最大の回動付勢力よりも小さくするように構成されることで、アシスト力を適切に変化させて、可動役物を第１位置から第２位置へ円滑に迅速に移動させることができて、回動付勢力によって第１位置に停止させた可動役物が跳上がる誤動作を防止することができる。
【００２４】
更に、付勢手段が、可動役物が第２位置のときの回動付勢力を可動役物が第２位置以外の位置のときの最大の回動付勢力よりも小さくするように構成されることで、回動付勢力に抗して可動役物を第２位置から下方へ移動開始させる役物駆動機構の負荷を小さくできるため、この可動役物の第２位置から下方への移動開始を円滑に行うことができる。
【図面の簡単な説明】
【００２５】
【図１】実施例のパチンコ遊技機の正面図である。
【図２】遊技盤とセンタ役物の正面図である。
【図３】センタ役物の正面図である。
【図４】パチンコ遊技機の制御系のブロック図である。
【図５】遊技盤と可動役物装置の正面図である。
【図６】遊技盤と可動役物装置の後面図である。
【図７】下側可動役物ユニット（可動役物が上方位置）の正面図である。
【図８】下側可動役物ユニット（可動役物が上方位置）の後面図である。
【図９】下側可動役物ユニット（可動役物が上方位置）の主要部の正面図である。
【図１０】下側可動役物ユニット（可動役物が下方位置）の主要部の正面図である。
【図１１】下側可動役物ユニット（可動役物が中間位置）の主要部の正面図である。
【図１２】回動付勢力算出用の説明図である。
【図１３】回動付勢力算出用の説明図である。
【図１４】上側可動役物ユニット（可動役物が下方位置）の正面図である。
【図１５】上側可動役物ユニット（可動役物が下方位置）の後面図である。
【図１６】上側可動役物ユニット（可動役物が下方位置）の主要部の正面図である。
【図１７】上側可動役物ユニット（可動役物が上方位置）の主要部の正面図である。
【図１８】上側可動役物ユニット（可動役物が中間位置）の主要部の正面図である。
【発明を実施するための形態】
【００２６】
本発明は、パチンコ遊技機のセンタ役物に装備された可動役物装置に適用されている。以下、発明を実施するための形態について実施例に基づいて説明する。
【実施例】
【００２７】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２８】
開閉扉３には、窓３ａの下側に遊技球を貯留する貯留皿５が設けられ、その貯留皿５に演出ボタン装置６が装着されている。また、開閉扉３には、貯留皿５の右下側に発射ハンドル７が装着され、その発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２９】
図２〜図４に示すように、遊技盤４には、多数の障害釘（図示略）の他、第１始動口１０、第２始動口装置１１、ゲート１２、大入賞口装置１３、複数の一般入賞口１４、センタ役物１５、画像表示器１６、可動役物装置１７、遊技表示盤１９が図２に示す配置で装着され、遊技盤４の裏面側に制御装置２０が装着されている。
【００３０】
第１始動口１０には入賞した遊技球を検出する第１始動口スイッチ１０ａが付設され、ゲート１２には通過した遊技球を検出するゲートＳＷ１２ａが付設され、各一般入賞口１４には入賞した遊技球を検出する一般入賞口スイッチ１４ａが付設されている。尚、「ＳＷ」はスイッチを意味する。
【００３１】
第２始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄを有する。尚、「ＳＯＬ」はソレノイドアクチュエータを意味する。開閉部材１１ｂは、閉位置で第２始動口１１ａへの遊技球の入賞を不可能にし、開位置で第２始動口１１ａへの遊技球の入賞を可能にする。
【００３２】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、閉位置で大入賞口１３ａへの遊技球の入賞を不可能にし、開位置で大入賞口１３ａへの遊技球の入賞を可能にする。
【００３３】
センタ役物１５は、遊技盤４の前面よりも前方へ張出す枠部材であって、遊技盤４の上部から中央部分に亙って遊技領域４ａの半分以上を占めるサイズで設けられたセンタ役物本体１５ａと、センタ役物本体１５ａの後側に設けられたセンタ役物ベース枠１５ｂとを有し、このセンタ役物１５に画像表示器１６と可動役物装置１７が装着されている。
【００３４】
遊技盤４にはセンタ取付穴４ｂ（図５、図６参照）が形成され、このセンタ取付穴４ｂにセンタ役物本体１５ａが嵌合され、遊技盤４の後面部にセンタ役物ベース枠１５ｂが取付けられている。画像表示器１６は、その画面がセンタ役物本体１５ａの内側領域の大部分に臨むように、センタ役物ベース枠１５ｂに後側から装着されている。
【００３５】
可動役物装置１７は、その第１〜第４可動役物４１，４２，６１，６２が、遊技盤４及びセンタ役物本体１５ａよりも後方に位置して、センタ役物本体１５ａの内側領域を移動可能に、センタ役物ベース枠１５ｂに前側から装着されている。
【００３６】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３７】
第１特別図柄表示器１９ａには、第１始動口１０への遊技球の入賞に基づいて第１特別図柄が図柄変動後に停止表示され、第２特別図柄表示器１９ｂには、第２始動口１１ａへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させ、通常は閉塞の大入賞口１３ａを複数ラウンドに亙って開閉させる。
【００３８】
普通図柄表示器１９ｃには、ゲート１２への遊技球の入賞（通過）に基づいて普通図柄が図柄変動後に停止表示される。普通図柄表示器１９ｃに当り図柄が停止表示された場合、補助遊技が発生して、第２始動口装置１１が、開閉部材１１ｂを開閉動作させ、通常は閉塞の第２始動口１１ａを１又は複数回開閉させる。
【００３９】
第１特別図柄保留ランプ１９ｄには、第１始動口１０に入賞した遊技球の所謂第１特図保留数が最大で４個表示され、第２特別図柄保留ランプ１９ｅには、第２始動口１１ａに入賞した遊技球の所謂第２特図保留数が最大で４個表示され、普通図柄保留ランプ１９ｆには、ゲート１２に入賞した遊技球の所謂普図保留数が最大で４個表示される。
【００４０】
発射ハンドル７を回動操作することで、遊技領域４ａの上部に発射投入された遊技球は、複数の障害釘に当たって方向を変えながら落下して、入賞口１０，１１ａ，１３ａ，１４の何れかに入賞した場合、そこから遊技領域４ａ外へ排出され、入賞口１０，１１ａ，１３ａ，１４の何れにも入賞しなかった場合には、最終的に、遊技領域４ａの下端部に形成されたアウト口９から遊技領域４ａ外へ排出される。
【００４１】
パチンコ遊技機１の制御系について説明する。
図４に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００４２】
サブ制御装置２５は、払出制御基板２６、演出制御基板２７、画像制御基板２８、ランプ制御基板２９に夫々ＣＰＵとＲＯＭとＲＡＭを備えて構成され、演出制御基板２７には更にＲＴＣを備えて構成されている。払出制御基板２６は枠用外部情報端子基板２４に接続されている。尚、「ＲＴＣ」はリアルタイムクロックを意味する。
【００４３】
遊技制御基板２２は、第１，第２始動口ＳＷ１０ａ，１１ｃ、ゲートＳＷ１２ａ、大入賞口ＳＷ１３ｃ、一般入賞口ＳＷ１４ａからの球検出信号と、払出制御基板２６からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２６と演出制御基板２７と盤用外部情報端子基板２３に制御情報（遊技情報）を出力する。
【００４４】
払出制御基板２６は、遊技制御基板２２からの制御情報と、払出球検出ＳＷ３１、球有り検出ＳＷ３２、満タン検出ＳＷ３３からの球検出信号を受けて、払出モータ３０を制御し、入賞口１０，１１ａ，１３ａ，１４への遊技球の入賞１個について、入賞口１０，１１ａ，１３ａ，１４毎に設定された数の遊技球を貯留皿５に払出し、遊技制御基板２２と枠用外部情報端子基板２４に制御情報（払出情報）を出力する。
【００４５】
演出制御基板２７は、遊技制御基板２２からの制御情報と、演出ボタン装置６からのボタン操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御し、更に、可動役物装置１７を制御する。
【００４６】
可動役物装置１７について詳しく説明する。
図２、図３、図５、図６に示すように、可動役物装置１７は、第１，第２可動役物４１，４２を備えた下側可動役物ユニット１７Ａと、第３，第４可動役物６１，６２を備えた上側可動役物ユニット１７Ｂとで構成されている。尚、第１，第３可動役物４１，６１が特許請求の範囲に記載の可動役物に相当し、第２，第４可動役物４２，６２が特許請求の範囲に記載の第２の可動役物に相当する。
【００４７】
図５〜図１１に示すように、下側可動役物ユニット１７Ａは、ベース部材４０と、ベース部材４０に夫々回動自在に支持された第１，第２可動役物４１，４２と、第１，第２可動役物４１，４２を夫々第１，第２下方位置（図１０参照）と第１，第２下方位置から上方へ移動させた第１，第２上方位置（図７〜図９等参照）とに亙って回動駆動する電動モータ５０（ステッピングモータ５０）を有する役物駆動機構４３とを備えている。尚、第１，第２下方位置が特許請求の範囲に記載の第１位置に相当し、第１，第２上方位置が特許請求の範囲に記載の第２位置に相当する。
【００４８】
ベース部材４０は、透明な合成樹脂製の水平下部４０ａ１と鉛直左部４０ａ２とからなる鍵括弧形（Ｌ形）の前壁４０ａと、前壁４０ａの水平下部４０ａ１に結合された透明な合成樹脂製の矩形の後壁４０ｂとを有する。ベース部材４０は、遊技盤４のセンタ取付穴４ｂの左右長よりも少し小さな（遊技盤４の左右長の約１／２の）左右長と、その左右長の約１／２の上下長とを有する。
【００４９】
ベース部材４０は、遊技盤４の後方において遊技盤４と平行に且つセンタ役物本体１５ａの下部に隠れた状態で配置されて、センタ役物本体１５ａの後面部とセンタ役物ベース枠１５ｂの前面部の少なくとも一方に取付けられている。前壁４０ａの水平下部４０ａ１と後壁４０ｂとの間には間隙が形成され、その間隙を含む前壁４０ａの後側に、第１，第２可動役物４１，４２の基端側部分と役物駆動機構４３の大部分が配置されている。
【００５０】
図７〜図１１に示すように、第１，第２可動役物４１，４２は、略同形同サイズであり、夫々、画像表示器１６の画面上下長の約２／３の長さで細長く、且つ先細り状の円弧形状に形成され、渦のような模様の一部（角のような物）を模している。第１可動役物４１の右側に第２可動役物４２が位置し、第１，第２可動役物４１，４２は、ベース部材４０の前壁４０ａの後方近傍位置に配置され、相互干渉しないように同期して回動する。
【００５１】
第１可動役物４１は、その基端部の円弧内側端部が、前壁４０ａの鉛直左部４０ａ２の上部に、前後に向く第１支軸４１ａを介して遊技盤４と平行に回動自在に支持されている。第１可動役物４１は、第１下方位置のときには、水平に対して約３０度の右方下り傾斜状の傾斜姿勢になって、その全部がセンタ役物本体１５ａの後側に隠れた状態になり、第１上方位置のときには、右方へ張出して略水平姿勢になって、その大部分がセンタ役物本体１５ａから現れ、画像表示器１６の画面前側に臨んだ状態になる。
【００５２】
第１可動役物４１は、合成樹脂製の第１役物ベース４１ｂと、その前側を覆う合成樹脂製の第１役物装飾カバー４１ｃとを有する。第１役物ベース４１ｂの前面部には基板（図示略）が取付けられ、その基板の前面に複数のＬＥＤ（図示略）が実装されている。第１役物装飾カバー４１ｃは、多数の凹凸が有る透明なレンズを有し、このレンズとレンズを通過する前記複数のＬＥＤからの光によって、第１可動役物４１が電飾される。
【００５３】
第２可動役物４２は、その基端部の円弧内側端部が、前壁４０ａの水平下部４０ａ１の右部に、前後に向く第２支軸４２ａを介して遊技盤４と平行に回動自在に支持されている。第２可動役物４２は、第２下方位置のときには、水平に対して約６０度の右方上り傾斜状の傾斜姿勢になって、その全部がセンタ役物本体１５ａの後側に隠れた状態になり、第２上方位置のときには、上方へ張出して略鉛直姿勢になって、その大部分がセンタ役物本体１５ａから現れ、画像表示器１６の画面前側に臨んだ状態になる。
【００５４】
尚、第２可動役物４２は、第１可動役物４１と同様の構成で、第２役物ベース４２ｂ、第２役物装飾カバー４２ｃを有し、電飾されるようになっている。ここで、第２可動役物４２の長さ方向途中部のうち前壁４０ａの後側に常に位置する部分に、ガイドコロ４５ａが装着され、このガイドコロ４５ａが係合する円弧状のガイドスリット４５ｂが、ベース部材４０（前壁４０ａ）に第２支軸４２ａを中心として形成されている。
【００５５】
また、第２可動役物４２の長さ方向途中部のコロ４５ａよりも先端側部分に、遮蔽板４６ａが装着され、この遮蔽板４６ａを介して第２可動役物４２の原点位置（第２下方位置、及び第１可動役物４１の第１下方位置）を検出する発光部と受光部とを有する光学センサ４６ｂが、ベース部材４０（前壁４０ａ）に装着されている。
【００５６】
図７〜図１１に示すように、役物駆動機構４３は、電動モータ５０、駆動ギヤ部材５１、従動ギヤ部材５２、第１連動連結部材５３、第２連動連結部材５４、バネ部材５５を有し、第１可動役物４１を第１下方位置と第１上方位置とに亙って上下回動させるように駆動するとともに、この第１可動役物４１の上下回動と同期させて第２可動役物４２を第２下方位置と第２上方位置とに亙って上下回動させるように駆動する。
【００５７】
駆動ギヤ部材５１、従動ギヤ部材５２、第１連動連結部材５３の下部、第２連動連結部材５４が、ベース部材４０の前壁４０ａと後壁４０ｂとの間隙に配置されている。尚、従動ギヤ部材５２が特許請求の範囲に記載の回動伝達部材に相当し、第１連動連結部材５３が特許請求の範囲に記載の連動連結部材に相当し、第２連動連結部材５４が特許請求の範囲に記載のバネ力伝達部材及び第２の連動連結部材に相当に相当する。
【００５８】
電動モータ５０は、前壁４０ａの水平下部４０ａ１の左後部に前向きに取付けられ、その出力軸５０ａに駆動ギヤ部材５１が直結されている。従動ギヤ部材５２は、駆動ギヤ部材５１の約２倍の直径を有し、駆動ギヤ部材５１に噛合するように、前後に向く回動軸５２ａを介してベース部材４０に回動自在に支持され、その円板部分に第１，第２連動連結部材５３，５４が連結されている。
【００５９】
第１連動連結部材５３は、細長いストレート形状に形成されて、水平に対して約４５度の右方下り傾斜状の傾斜姿勢で配置され、上端部が前後に向く第１上連結軸５３ａを介して第１可動役物４１に回動自在に連結され、下端部が前後に向く第１下連結軸５３ｂを介して従動ギヤ部材５２に回動自在に連結されている。第１上連結軸５３ａは第１可動役物４２の基端部の円弧外側端部にあり、第１下連結軸５３ｂは、従動ギヤ部材５２の中心から半径の約１／２離れた部分にある。
【００６０】
従動ギヤ部材５２は１８０°の範囲で回動可能であり、従動ギヤ部材５２の回動中心（回動軸５２ａの軸心）から、第１連動連結部材５３の第１可動役物４１との連結部（第１上連結軸５３ａの軸心）と従動ギヤ部材５２との連結部（第１下連結軸５３ｂの軸心）とを通る直線Ｌ１までの距離は、第１可動役物４１（従動ギヤ部材５２）が回動することで変化して、第１可動役物４１が第１上方位置と第１下方位置のときに最小（略０）になり（図９、図１０参照）、第１可動役物４１が第１上方位置と第１下方位置との中間近傍位置のときに最大（つまり、従動ギヤ部材５２の半径の約１／２）になる（図１１参照）。
【００６１】
以上の構成により、電動モータ５０により従動ギヤ部材５２が回動駆動されると、第１連動連結部材５３が揺動駆動され、この従動ギヤ部材５２、第１連動連結部材５３によって、第１可動役物４１に駆動力が伝達され、第１可動役物４１が回動駆動される。そして、従動ギヤ部材５２が時計回り方向へ回動すると、第１可動役物４１が第１下方位置の方（時計回り方向）へ回動し、従動ギヤ部材５２が反時計回り方向へ回動すると、第１可動役物４１が第１上方位置の方（反時計回り方向）へ回動する。
【００６２】
第２連動連結部材５４は、細長いストレート形状に形成されて、略水平姿勢で配置され、右端部が前後に向く第２右連結軸５４ａを介して第２可動役物４２に回動自在に連結され、左端部が前後に向く第２左連結軸５４ｂを介して従動ギヤ部材５２に回動自在に連結されている。第２右連結軸５４ａは、第２可動役物４２の基端部の円弧外側端部にあり、第２左連結軸５４ｂは、従動ギヤ部材５２の中心から半径の約２／３離れた部分であって、第１下連結軸５３ｂに対して反時計回り方向へ約６０度の位置にある。
【００６３】
従動ギヤ部材５２の回動中心（回動軸５２ａの軸心）から、第２連動連結部材５４の第２可動役物４２との連結部（第２右連結軸５４ａの軸心）と従動ギヤ部材５２との連結部（第２左連結軸５４ｂの軸心）とを通る直線Ｌ２までの距離は、第２可動役物４２（従動ギヤ部材５２）が回動することで変化して、第２可動役物４２が第２上方位置と第２下方位置のときに最小（略０）になり（図９、図１０参照）、第２可動役物４２が第２上方位置と第２下方位置との中間近傍位置のときに最大（つまり、従動ギヤ部材５２の半径の約２／３）になる（図１１参照）。
【００６４】
以上の構成により、電動モータ５０により従動ギヤ部材５２が回動駆動されると、第２連動連結部材５４が揺動駆動され、この従動ギヤ部材５２、第２連動連結部材５４によって、第２可動役物４２に駆動力が伝達され、第２可動役物４２が回動駆動される。そして、従動ギヤ部材５２が時計回り方向へ回動すると、第２可動役物４２が第２下方位置の方（時計回り方向）へ回動し、従動ギヤ部材５２が反時計回り方向へ回動すると、第２可動役物４２が第２上方位置の方（反時計回り方向）へ回動する。
【００６５】
第２連動連結部材５４とバネ部材５５により付勢手段５６が構成され、その付勢手段５６は、従動ギヤ部材５２を反時計回り方向へ回動付勢して、第１可動役物４１を第１下方位置から第１上方位置へ移動させる際のアシスト力を発生させるとともに、第２可動役物４２を第２下方位置から第２上方位置へ移動させる際のアシスト力を発生させる。
【００６６】
バネ部材５５は、左端部が第２連動連結部材５４に連結され右端部がベース部材４０に連結された引っ張りコイルバネ５５からなる。つまり、第２連動連結部材５４は、第２可動役物４２と従動ギヤ部材５２とを連動連結する部材でもあり、バネ部材５５の付勢力を従動ギヤ部材５２に伝達する部材（バネ力伝達部材５４）でもある。
【００６７】
前記のように、従動ギヤ部材５２が回動することで、従動ギヤ部材５２の回動中心から直線Ｌ２までの距離が変化することにより、付勢手段５６は、従動ギヤ部材５２に付加する回動付勢力を従動ギヤ部材５２の回動位置に応じて変化させて、第１，第２可動役物４１，４２が第１，第２下方位置のときの回動付勢力を第１，第２可動役物４１，４２が第１，第２下方位置以外の位置のときの最大の回動付勢力よりも小さくするように構成され、第１，第２可動役物４１，４２が第１，第２下方位置のときの回動付勢力を０にする。即ち、従動ギヤ部材５２の回動軸５２ａの中心が直線Ｌ２上に位置している。
【００６８】
更に、付勢手段５６は、第１，第２可動役物４１，４２が第１，第２上方位置のときの回動付勢力を第１，第２可動役物４１，４２が第１，第２上方位置以外の位置のときの最大の回動付勢力よりも小さくするように構成され、第１，第２可動役物４１，４２が第１，第２上方位置のときの回動付勢力を０にする。即ち、従動ギヤ部材５２の回動軸５２ａの中心が直線Ｌ２上に位置している。
【００６９】
ここで、図１２、図１３に示すように、バネ部材５５のバネ定数をｋ、第１，第２可動役物４１，４２が第１，第２上方位置のときのバネ部材５５の延び量をｘ０、第１，第２可動役物４１，４２の第１，第２上方位置からの変位に応じたバネ部材５５の延び量をｘ、回動軸５２ａの軸心から第２左連結軸５４ｂの軸心までの長さをＲ、従動ギヤ部材５２の回転角度をθ、第１，第２可動役物４１が第１，第２上方位置のときの回転角度θを０とした場合、バネ部材５５の付勢力Ｆは次の式で表される。
Ｆ＝ｋ（ｘ＋ｘ０）＝ｋｘ＋Ｆ０
＝ｋＲ（１− cosθ）＋Ｆ０・・・（１）
【００７０】
また、回動軸５２ａの軸心から直線Ｌ２までのレバー長Ｌは次の式で表される。
Ｌ＝Ｒ sinθ・・・（２）
故に、式（１）（２）から、付勢手段５６が従動ギヤ部材５２に付加する回動付勢力Ｍ（回動モーメントＭ）は次の式で表される。
Ｍ＝ＬＦ＝Ｒ sinθ［ｋＲ（１− cosθ）＋Ｆ０］・・・（３）
【００７１】
式（３）から、θが０°と１８０°のとき、つまり、第１，第２可動役物４１，４２が第１，第２上方位置と第１，第２下方位置のときに、回動付勢力Ｍが最小の０になることが判る。次に、Ｆ０＝０、つまり、第１，第２可動役物４１，４２の第１，第２上方位置のときのバネ部材５５の延び量ｘ０が０であると仮定して、回動付勢力Ｍが最大になるときのθを求めるために、式（３）から次の式を設定する。
Ｇ（θ）＝ sinθ（１− cosθ）・・・（４）
【００７２】
そして、式（４）から、Ｇ′（θ）＝０となるθの解に回動付勢力Ｍが最大になるときの角度が含まれている。
即ち、Ｇ′（θ）＝ cosθ（１− cosθ）＋ sinθ sinθ
＝１−２cos2θ＋ cosθ＝０
これを解いて、回動付勢力Ｍが最大になるときのθ＝１２０°が得られる。
但し、実際は、Ｆ０＞０であるため、９０°＜θ＜１２０°のときに、回動付勢力Ｍが最大になるように設定することができる。
【００７３】
図５、図６、図１４〜図１８に示すように、上側可動役物ユニット１７Ｂは、ベース部材６０と、ベース部材６０に夫々回動自在に支持された第３，第４可動役物６１，６２と、第３，第４可動役物６１，６２を夫々第３，第４下方位置（図１４〜図１６等参照）と第３，第４下方位置から上方へ移動させた第３，第４上方位置（図１７参照）とに亙って回動駆動する電動モータ７０（ステッピングモータ７０）を有する役物駆動機構６３とを備えている。尚、第３，第４下方位置が特許請求の範囲に記載の第１位置に相当し、第３，第４上方位置が特許請求の範囲に記載の第２位置に相当する。
【００７４】
ベース部材６０は、透明な合成樹脂製の逆鍵括弧形（逆Ｌ形）の部材からなり、ベース部材４０と略同じか少し長い左右長と、その左右長の約１／２の上下長とを有する。ベース部材６０は、遊技盤４の後方において遊技盤４と平行に且つセンタ役物本体１５ａの上部に隠れた状態で配置されて、センタ役物本体１５ａの後面部とセンタ役物ベース枠１５ｂの前面部の少なくとも一方に取付けられている。ベース部材６０の後側に、第３，第４可動役物６１，６２の基端側部分と役物駆動機構６３の大部分が配置されている。
【００７５】
図１４〜図１８に示すように、第３可動役物６１は、第１，第２可動役物４１，４２と略同形同サイズであり、第４可動役物６２は、第３可動役物６１と略同形で第３可動役物６１よりも少し小さなサイズである。第３可動役物６１の左側に第４可動役物６２が位置し、第３，第４可動役物６１，６２は、ベース部材６０の後方近傍位置に配置され、相互干渉しないように同期して回動する。
【００７６】
第３可動役物６１は、その基端部の円弧内側端部が、ベース部材６０の右下部に、前後に向く第３支軸６１ａを介して遊技盤４と平行に回動自在に支持されている。第３可動役物６１は、第３上方位置のときには、水平に対して約３０度の左方上り傾斜状の傾斜姿勢になって、その全部がセンタ役物本体１５ａの後側に隠れた状態になり、第３下方位置のときには、左方へ張出して略水平姿勢になって、その大部分がセンタ役物本体１５ａから現れ、画像表示器１６の画面前側に臨んだ状態になる。
【００７７】
ここで、第３可動役物６１の先端側部分は、第３可動役物６１が第３上方位置のときに役物駆動機構６３の第４連動連結部材７４の後側近傍に位置し、第３可動役物６１が第３下方位置のときに第４連動連結部材７４よりも下側に位置するが、第３可動役物６１が第３下方位置から第３上方位置へ回動する際に第４連動連結部材７４と衝突しないように、第４連動連結部材７４に案内され得る案内板６４が第３可動役物６１に設けられている。
【００７８】
第４可動役物６２は、その基端部の円弧内側端部が、ベース部材６０の左部に、前後に向く第４支軸６２ａを介して遊技盤４と平行に回動自在に支持されている。第４可動役物６２は、第４上方位置のときには、水平に対して約６０度の左方下り傾斜状の傾斜姿勢になって、その全部がセンタ役物本体１５ａの後側に隠れた状態になり、第４下方位置のときには、下方へ張出して略鉛直姿勢になって、その大部分がセンタ役物本体１５ａから現れ、画像表示器１６の画面前側に臨んだ状態になる。
【００７９】
ここで、第２可動役物４２の長さ方向途中部のうちベース部材６０の後側に常に位置する部分に、ガイドコロ６５ａが装着され、このガイドコロ６５ａが係合する円弧状のガイドスリット６５ｂが、ベース部材６０に第４支軸６２ａを中心として形成されている。
【００８０】
また、第４可動役物６２の長さ方向途中部のガイドコロ６５ａよりも基端側部分に、遮蔽板６６ａが装着され、この遮蔽板６６ａを介して第４可動役物６２の原点位置（第４上方位置、及び第３可動役物６１の第３上方位置）を検出する発光部と受光部とを有する光学センサ６６ｂが、ベース部材６０に装着されている。
【００８１】
尚、第３，第４可動役物６１，６２は、夫々、第１可動役物４１（第２可動役物４２）と同様の構成で、第３，第４役物ベース６１ｂ，６２ｂ、第３，第４役物装飾カバー６１ｃ，６２ｃを有し、電飾されるようになっている。
【００８２】
図１４〜図１８に示すように、役物駆動機構６３は、電動モータ７０、駆動ギヤ部材７１、従動ギヤ部材７２、第３連動連結部材７３、第４連動連結部材７４、バネ部材７５を有し、第３可動役物６１を第３下方位置と第３上方位置とに亙って上下回動させるように駆動するとともに、この第３可動役物６１の上下回動と同期させて第４可動役物６２を第４下方位置と第４上方位置とに亙って上下回動させるように駆動する。
【００８３】
尚、従動ギヤ部材７２が特許請求の範囲に記載の回動伝達部材に相当し、第３連動連結部材７３が特許請求の範囲に記載のバネ力伝達部材及び連動連結部材に相当し、第４連動連結部材７４が特許請求の範囲に記載の第２の連動連結部材に相当に相当する。
【００８４】
電動モータ７０は、ベース部材６０の右後部に前向きに取付けられ、その出力軸７０ａに駆動ギヤ部材７１が直結され、従動ギヤ部材７２は、駆動ギヤ部材７１に噛合するように、前後に向く回動軸７２ａを介してベース部材６０に回動自在に支持されている。
【００８５】
第３連動連結部材７３は、下端部が前後に向く第３下連結軸７３ａを介して第３可動役物６１に回動自在に連結され、上端部が前後に向く第３上連結軸７３ｂを介して従動ギヤ部材７２に回動自在に連結されている。第４連動連結部材７４は、左端部が前後に向く第４左連結軸７４ａを介して第４可動役物６２に回動自在に連結され、右端部が前後に向く第４右連結軸７４ｂを介して従動ギヤ部材５２に回動自在に連結されている。
【００８６】
従動ギヤ部材７２の回動中心（回動軸７２ａの軸心）から、第３連動連結部材７３の第３可動役物６１との連結部（第３下連結軸７３ａの軸心）と従動ギヤ部材７２との連結部（第３上連結軸７３ｂの軸心）とを通る直線Ｌ３までの距離は、第３可動役物６１（従動ギヤ部材７２）が回動することで変化して、第３可動役物６１が第３上方位置と第３下方位置のときに最小（略０）になり（図１６、図１７参照）、第３可動役物６１が第３上方位置と第３下方位置との中間近傍位置のときに最大になる（図１８参照）。
【００８７】
従動ギヤ部材７２の回動中心（回動軸７２ａの軸心）から、第４連動連結部材７４の第４可動役物６２との連結部（第４左連結軸７４ａの軸心）と従動ギヤ部材７２との連結部（第４右連結軸７４ｂの軸心）とを通る直線Ｌ４までの距離は、第４可動役物６２（従動ギヤ部材７２）が回動することで変化して、第４可動役物６２が第４上方位置と第４下方位置のときに最小（略０）になり（図１６、図１７参照）、第４可動役物６２が第４上方位置と第４下方位置との中間近傍位置のときに最大になる（図１８参照）。
【００８８】
尚、上側可動役物ユニット１７Ｂの役物駆動機構６３の構造（連結構造等）や動作については、下側可動役物ユニット１７Ａを上下逆さまにした状態の役物駆動機構６３のものと基本的に同じである。
【００８９】
第３連動連結部材７３とバネ部材７５により付勢手段７６が構成され、その付勢手段７６は、従動ギヤ部材７２を時計回り方向へ回動付勢して、第３可動役物６１を第３下方位置から第３上方位置へ移動させる際のアシスト力を発生させるとともに、第４可動役物６２を第４下方位置から第４上方位置へ移動させる際のアシスト力を発生させる。
【００９０】
バネ部材７５は、上端部が第３連動連結部材７４に連結され下端部がベース部材６０に連結された引っ張りコイルバネ７５からなる。つまり、第３連動連結部材７４は、第３可動役物６１と従動ギヤ部材７２とを連動連結する部材でもあり、バネ部材７５の付勢力を従動ギヤ部材７２に伝達する部材（バネ力伝達部材７４）でもある。
【００９１】
付勢手段７６は、従動ギヤ部材７２に付加する回動付勢力を従動ギヤ部材７２の回動位置に応じて変化させて、第３，第４可動役物６１，６２が第３，第４下方位置のときの回動付勢力を第３，第４可動役物６１，６２が第３，第４下方位置以外の位置のときの最大の回動付勢力よりも小さくするように構成され、第３，第４可動役物６１，６２が第３，第４下方位置のときの回動付勢力を０にする。即ち、従動ギヤ部材７２の回動軸７２ａの中心が直線Ｌ３上に位置している。
【００９２】
更に、付勢手段７６は、第３，第４可動役物６１，６２が第３，第４上方位置のときの回動付勢力を第３，第４可動役物６１，６２が第３，第４上方位置以外の位置のときの最大の回動付勢力よりも小さくするように構成され、第３，第４可動役物６１，６２が第３，第４上方位置のときの回動付勢力を０にする。即ち、従動ギヤ部材７２の回動軸７２ａの中心が直線Ｌ３上に位置している。
【００９３】
尚、上側可動役物ユニット１７Ｂの付勢手段７６が従動ギヤ部材７２に付加する回動付勢力の変化については、下側可動役物ユニット１７Ａの付勢手段５６が従動ギヤ部材５２に付加する回動付勢力の変化と基本的に同じであり、前記同様の式が成立する。
【００９４】
以上説明した可動役物装置１７の動作は次の通りである。
通常、下側可動役物ユニット１７Ａの第１，第２可動役物４１，４２は、第１，第２下方位置（退避位置）にあり、また、上側可動役物ユニット１７Ｂの第３，第４可動役物６１，６２は、第３，第４上方位置（退避位置）にあり、それら可動役物４１，４２，６１，６２の全部がセンタ役物本体１５ａの後側に隠れた状態になっている。
【００９５】
遊技球の始動口１０，１１ａへの入賞（大当り抽選）等に基づいて、可動役物装置１７を用いて特別な遊技演出が行われる場合、演出制御装置３５（ランプ制御基板２９）により、役物駆動機構４３，６３、つまり電動モータ５０，７０が駆動制御され次のようになる。
【００９６】
下側可動役物ユニット１７Ａにおいて、役物駆動機構４３により、第１，第２可動役物４１，４２が、第１，第２下方位置から第１，第２上方位置（作動位置）へ回動駆動され、これと同時に、上側可動役物ユニット１７Ｂにおいて、役物駆動機構６３により、第３，第４可動役物６１，６２が、第３，第４上方位置から第３，第４下方位置（作動位置）へ回動駆動され、この４つの可動役物４１，４２，６１，６２が、センタ役物本体１５ａから現れ、画像表示器１６の画面前側において渦のような模様を形成する（図２参照）。
【００９７】
ここで、第１〜第４可動役物４１，４２，６１，６２が退避位置から作動位置へ回動しているときや、作動位置に停止している状態で、第１〜第４可動役物４１，４２，６１，６２が電飾されるとともに、画像表示器１６の画面に特有の演出が表示され、また、スピーカ３４から特有の効果音が鳴らされ、可動役物４１，４２，６１，６２が大型であることからも、全体的にインパクトのある演出が実現される。
【００９８】
その後、前記と逆に、下側可動役物ユニット１７Ａにおいて、役物駆動機構４３により、第１，第２可動役物４１，４２が、第１，第２上方位置から下方の第１，第２下方位置へ回動駆動され、これと同時に、上側可動役物ユニット１７Ｂにおいて、役物駆動機構６３により、第３，第４可動役物６１，６２が、第３，第４下方位置から上方の第３，第４上方位置へ回動駆動され、通常に戻る。
【００９９】
尚、第１，第２可動役物４１，４２の第１，第２下方位置から第１，第２上方位置への動作と、第３，第４可動役物６１，６２の第３，第４上方位置から第３，第４下方位置への動作とが、時間差を生じるように実行されてもよい。また、第１，第２可動役物４１，４２の第１，第２上方位置から第１，第２下方位置への動作と、第３，第４可動役物６１，６２の第３，第４下方位置から第３，第４上方位置への動作とが、時間差を生じるように実行されてもよい。或いは、第１，第２可動役物４１，４２と、第３，第４可動役物６１，６２の一方のみが動作するようにしてもよい。
【０１００】
この可動役物装置１７によれば次の効果を奏する。但し、ここでは、下側可動役物ユニット１７Ａの効果を記載し、上側可動役物ユニット１７Ｂの効果については、下側可動役物ユニット１７Ａの効果と基本的に同じであるので説明を省略する。
【０１０１】
第１，第２可動役物４１，４２を第１，第２下方位置と第１，第２下方位置から上方へ回動させた第１，第２上方位置とに亙って駆動する電動モータ５０を有する役物駆動機構４３が、電動モータ５０により回動駆動されて第１，第２可動役物４１，４２に駆動力を伝達する従動ギヤ部材５２と、従動ギヤ部材５２を回動付勢して、第１，第２可動役物４１，４２を第１，第２下方位置から第１，第２上方位置へ回動させる際のアシスト力を発生させるバネ部材５５を有する付勢手段５６とを備えている。
【０１０２】
そして、付勢手段５６が、従動ギヤ部材５２に付加する回動付勢力を従動ギヤ部材５２の回動位置に応じて変化させて、第１，第２可動役物４１，４２が第１，第２下方位置のときの回動付勢力を第１，第２可動役物４１，４２が第１，第２下方位置以外の位置のときの最大の回動付勢力よりも小さくするように構成されているため、前記アシスト力を適正に変化させて、第１，第２可動役物４１，４２が大型（大重量）の場合でも、第１，第２可動役物４１，４２を第１，第２下方位置から第１，第２上方位置へ円滑に迅速に回動させることができて、回動付勢力によって第１，第２下方位置に停止させた第１，第２可動役物４１，４２が跳上がる誤動作を防止することができる。
【０１０３】
特に、付勢手段５６は、第１，第２可動役物４１，４２が第１，第２下方位置のときの回動付勢力を０にするので、第１，第２下方位置に停止させた第１，第２可動役物４１，４２が跳上がる誤動作を確実に防止することができる。
【０１０４】
ここで、従動ギヤ部材５２の回転速度に対する第１，第２可動役物４１，４２の回動速度（第１，第２連動連結部材５３，５４の移動速度）は、第１，第２可動役物４１，４２が第１，第２下方位置から上方へ回動するに従って徐々に大きくなるため、故に、回動付勢力についても同様に徐々に大きくなり、第１，第２可動役物４１，４２が第１，第２下方位置のときの回動付勢力が０の場合でも、第１，第２可動役物４１，４２を第１，第２下方位置から円滑に回動開始させ第１，第２上方位置へ回動させることがでる。
【０１０５】
更に、付勢手段５６が、第１，第２可動役物４１，４２が第１，第２上方位置のときの回動付勢力を第１，第可動役物４１，４２が第２位置以外の位置のときの最大の回動付勢力よりも小さくするように構成されているため、回動付勢力に抗して第１，第２可動役物４１，４２を第１，第２上方位置から下方へ移動開始させる役物駆動機構４３の負荷を小さくできるため、この第１，第２可動役物４１，４２の第１，第２上方位置から下方への移動開始を円滑に行うことができる。
【０１０６】
特に、付勢手段５６は、第１，第２可動役物４１，４２が第１，第２上方位置のときの回動付勢力を０にするので、第１，第２可動役物４１，４２を第１，第２上方位置から下方へ円滑に確実に移動開始させることができる。
【０１０７】
ここで、第１，第２可動役物４１，４２が第１，第２上方位置のとき回動付勢力が０であるため、第１，第２上方位置に停止させた第１，第２可動役物４１，４２が自重により下方へ移動する誤動作が起こる虞もある。しかし、第１，第２可動役物４１，４２が第１，第２上方位置のとき、従動ギヤ部材５２の回動軸５２ａの軸心、第２連動連結部材５４の第２右連結軸５４ａ及び第２左連結軸５４ｂの軸心が一直線上にあるため、この第２連動連結部材５４を介して、第１，第２可動役物４１，４２がロックされた状態になり、自重により第１，第２上方位置から下方へ移動する誤動作を確実に防止することができる。
【０１０８】
尚、本発明の趣旨を逸脱しない範囲において、種々の変更を付加することができる。例えば、役物駆動機構において、電動モータの代わりにソレノイドアクチュエータ等の種々の電動アクチュエータを採用可能であり、また、従動ギヤ部材の代わりの種々の回動伝達部材を採用可能である。また、前記実施例では、２つの可動役物を連動させて回動させるものに本発明を適用しているが、１つの可動役物のみを回動させるものに本発明を適用可能である。更に、可動役物を直線的に移動させるものにも本発明を適用可能である。
【符号の説明】
【０１０９】
１  パチンコ遊技機
１７  可動役物装置
１７Ａ  下側可動役物ユニット
１７Ｂ  上側可動役物ユニット
４０  ベース部材
４１  第１可動役物
４２  第２可動役物
４３  役物駆動機構
５０  電動モータ
５２  従動ギヤ部材
５３  第１連動連結部材
５４  第２連動連結部材
５５  バネ部材
５６  付勢手段
６０  ベース部材
６１  第３可動役物
６２  第４可動役物
６３  役物駆動機構
７０  電動モータ
７２  従動ギヤ部材
７３  第３連動連結部材
７４  第４連動連結部材
７５  バネ部材
７６  付勢手段
【図１】
2011110322.tif 000003
【図２】
2011110322.tif 000004
【図３】
2011110322.tif 000005
【図４】
2011110322.tif 000006
【図５】
2011110322.tif 000007
【図６】
2011110322.tif 000008
【図７】
2011110322.tif 000009
【図８】
2011110322.tif 000010
【図９】
2011110322.tif 000011
【図１０】
2011110322.tif 000012
【図１１】
2011110322.tif 000013
【図１２】
2011110322.tif 000014
【図１３】
2011110322.tif 000015
【図１４】
2011110322.tif 000016
【図１５】
2011110322.tif 000017
【図１６】
2011110322.tif 000018
【図１７】
2011110322.tif 000019
【図１８】
2011110322.tif 000020